(57)【要約】    【課題】  簡単な構造で容易且つ安価に実施できると共に、物品の形状、構造等による使用上の制約がなく、どのような物品に対しても広く自由に使用できるようにする。    【解決手段】  複数個の物品Ｗを載置可能な載置台５は、物品Ｗを受けるクッション材７を備え、載置台５上の物品Ｗを上側から押さえる押さえ手段６は、複数個の物品Ｗに跨がる大きさを有するシート材８と、各物品Ｗの両側でシート材８を物品Ｗ側へと下方に押圧する押圧体９とを備え、クッション材７とシート材８とにより物品Ｗを上下両側から挟んで保持する。シート材８はその一端側の巻き取り手段３０により長さ調整可能である。押圧体９はシート材８の上側に配置された押圧棒４２を備え、この押圧棒４２の下側にシート材８を受ける受け棒４３を略平行に設けている。【選択図】    図２
2005247339.tif 000002
【特許請求の範囲】
【請求項１】
複数個の物品（Ｗ）を載置可能な載置台（５）と、該載置台（５）上の前記物品（Ｗ）を上側から押さえる押さえ手段（６）とを備え、前記載置台（５）と前記押さえ手段（６）とにより前記物品（Ｗ）を上下両側から挟んで保持する物品保持装置において、前記載置台（５）は前記物品（Ｗ）を受けるクッション材（７）を備え、前記押さえ手段（６）は複数個の前記物品（Ｗ）に跨がる大きさを有するシート材（８）と、前記各物品（Ｗ）の両側で前記シート材（８）を前記物品（Ｗ）側へと下方に押圧する押圧体（９）とを備えたことを特徴とする物品保持装置。
【請求項２】
前記シート材（８）の一端側を巻き取る巻き取り手段（３０）を設けたことを特徴とする請求項１に記載の物品保持装置。
【請求項３】
前記押圧体（９）は前記シート材（８）の上側に配置された押圧棒（４２）を備え、該押圧棒（４２）の下側に前記シート材（８）を受ける受け棒（４３）を略平行に設けたことを特徴とする請求項１又は２に記載の物品保持装置。
【請求項４】
前記押圧体（９）を左右方向に位置調整自在に設けたことを特徴とする請求項１〜３の何れかに記載の物品保持装置。
【請求項５】
左右一対の側枠（２）間に、上下方向に複数個の棚（３）とその上側の蓋（４）とを備え、最下部を除く前記棚（３）と前記蓋（４）とを上下調整自在に設け、各棚（３）の上側を前記載置台（５）とし、最下部を除く前記棚（３）及び前記蓋（４）の下側に前記押さえ手段（６）を設けたことを特徴とする請求項１〜４の何れかに記載の物品保持装置。
【請求項６】
左右一対の側枠（２）間に、上下方向に複数個の棚（３）とその上側の蓋（４）とを備え、最下部を除く前記棚（３）と前記蓋（４）とをその後端側を支点に前上がり状に起立可能に構成し、各棚（３）の上側を前記載置台（５）とし、最下部を除く前記棚（３）及び蓋（４）の下側に前記押さえ手段（６）を設けたことを特徴とする請求項１〜４の何れかに記載の物品保持装置。
【発明の詳細な説明】
【技術分野】
【０００１】
本発明は、自動車部品その他の物品を運搬する際などに使用する物品保持装置に関するものである。
【背景技術】
【０００２】
コンテナ内に物品を収納して運搬する場合に、複数個の物品を載置可能な載置台と、載置台上の物品を上側から押さえる押さえ手段とを有する物品保持装置をコンテナ内に備え、その載置台と押さえ手段とにより物品を上下両側から挟んで保持するようにしたものがある（特許文献１）。
【０００３】
この物品保持装置は、載置台又は押さえ手段を膨張可能なエアーバッグにより構成すると共に、押さえ手段又は載置台を軟質合成樹脂製発泡体等のクッション材により構成しておき、載置台上に載置された物品を、エアーバッグとクッション材とにより上下両側から挟んで保持するようになっている。
【特許文献１】特開平５−１０６２３５号公報
【発明の開示】
【発明が解決しようとする課題】
【０００４】
従来の物品保持装置は、載置台と押さえ手段との何れか一方にエアーバッグを使用し、そのエアーバッグを膨張させてクッション材との間で物品を保持するため、物品をコンテナに収納する際には、エアー充填用のエアー源が必ず必要であり、取り扱いが煩雑であり、エアー源のない場所では使用できないという問題がある。
【０００５】
またエアーバッグを使用するため、物品がリンゴ等の果物、或いは角のない機械部品等の場合には問題はないが、鋭利な角を有する物品の場合には、その角によってエアーバックが裂けてパンクする等の惧れがあり、物品の形状、構造等によって使用上の制約があるなどの欠点がある。
【０００６】
本発明は、かかる従来の課題に鑑み、簡単な構造で容易且つ安価に実施できると共に、物品の形状、構造等による使用上の制約のない物品保持装置を提供することを目的とする。
【課題を解決するための手段】
【０００７】
本発明の物品保持装置は、複数個の物品Ｗを載置可能な載置台５と、該載置台５上の前記物品Ｗを上側から押さえる押さえ手段６とを備え、前記載置台５と前記押さえ手段６とにより前記物品Ｗを上下両側から挟んで保持する物品保持装置において、前記載置台５は前記物品Ｗを受けるクッション材７を備え、前記押さえ手段６は複数個の前記物品Ｗに跨がる大きさを有するシート材８と、前記各物品Ｗの両側で前記シート材８を前記物品Ｗ側へと下方に押圧する押圧体９とを備えたものである。
【０００８】
前記シート材８の一端側を巻き取る巻き取り手段３０を設けても良い。前記押圧体９は前記シート材８の上側に配置された押圧棒４２を備え、該押圧棒４２の下側に前記シート材８を受ける受け棒４３を略平行に設けても良い。
【０００９】
前記押圧体９は左右方向に位置調整自在に設けても良い。左右一対の側枠２間に、上下方向に複数個の棚３とその上側の蓋４とを備え、最下部を除く前記棚３と前記蓋４とを上下調整自在に設け、各棚３の上側を前記載置台５とし、最下部を除く前記棚３及び前記蓋４の下側に前記押さえ手段６を設けても良い。
【００１０】
左右一対の側枠２間に、上下方向に複数個の棚３とその上側の蓋４とを備え、最下部を除く前記棚３と前記蓋４とをその後端側を支点に前上がり状に起立可能に構成し、各棚３の上側を前記載置台５とし、最下部を除く前記棚３及び蓋４の下側に前記押さえ手段６を設けても良い。
【発明の効果】
【００１１】
本発明では、物品Ｗ間で押圧体９によりシート材８を下方へと押圧して、クッション材７上に載置された複数個の物品Ｗを、クッション材７とシート材８とにより挟んで保持するため、簡単な構造で容易且つ安価に実施できると共に、物品Ｗの形状、構造等による使用上の制約がなく、どのような物品Ｗに対しても広く自由に使用できる。
【発明を実施するための最良の形態】
【００１２】
以下、本発明の実施例を図面に基づいて詳述する。図面は本発明の物品保持装置を採用したコンテナを例示する。このコンテナは、図１〜図４に示すように、コンテナ枠体１と、このコンテナ枠体１の左右一対の側枠２間に配置された上下方向に複数個（例えば３個）の棚３及びその上側の蓋４とを備え、各棚３の上側を物品Ｗの載置台５とし、最下部を除く棚３（以下、中間の棚３という）及び蓋４の下側に、その下側の載置台５上の物品Ｗを押さえるための押さえ手段６を備えている。そして、載置台５は複数個の物品Ｗを受けるクッション材７を備え、また押さえ手段６は、複数個の物品Ｗに跨がる大きさを有し且つ両端が支持されたシート材８と、各物品Ｗ間でシート材８を物品Ｗ側へと下方に押圧する押圧体９とを備えている。
【００１３】
コンテナ枠体１は、左右方向に長い矩形状に構成された下部枠１０と、この下部枠１０の左右両側に固定された左右一対の側枠２とを備えている。下部枠１０の下側には、その四隅に走行用のキャスター１１が装着されている。各側枠２は、前後両側に配置された前支柱１２及び後支柱１３と、前後支柱１２，１３の上端部を前後に連結する上部横桟１４と、前後方向の略中央で上部横桟１４及び下部枠１０を上下に連結する側部縦桟１５とを有する。左右の側枠２は、後支柱１３の上端部側が左右方向の上部背桟１６により連結され、また左右方向の略中央の背部縦桟１７で上部背桟１６と下部枠１０とが上下に連結されている。
【００１４】
なお、コンテナ枠体１は前面側及び上面側が開放状になっている。またコンテナ枠体１は各支柱１２，１３の下部に脚部１２ａ，１３ａを、上部に受け部１２ｂ，１３ｂを夫々備え、下側のコンテナの受け部１２ｂ，１３ｂ上に、上側のコンテナの脚部１２ａ，１３ａを嵌合させることによって、キャスター１１に関係なく複数段に段積みできるようになっている。
【００１５】
下部枠１０はコンテナ枠体１の一部を構成すると共に最下部の棚３を兼用し、その上面が最下部の載置台５となっている。中間の２個の棚３とその上側の蓋４は、コンテナ枠体１の左右の側枠２間に入る大きさであって、左右方向に長い矩形状に構成され、図５に示すように後部側の支点ピン１８，１９と、前部側の固定ピン２０とにより、左右の側枠２に対して上下調整可能であると共に、支点ピン１８，１９廻りに前上がり状態に起立可能に支持されている。
【００１６】
支点ピン１８，１９は前後方向に所定の間隔を置いて２個設けられ、後支柱１３側の支持孔２１に前側から嵌脱自在、摺動自在に嵌合されている。支持孔２１は前後方向の水平部２１ａと、この水平部２１ａの後端から後下がりに傾斜する傾斜部２１ｂとを備え、その水平部２１ａの前端側には下側に前側の支点ピン１９用の係止部２１ｃが、上側に支点ピン１８，１９用の嵌脱部２１ｄが夫々形成されている。
【００１７】
２個の支点ピン１８，１９と支持孔２１の傾斜部２１ｂは、図５に仮想線で示すように、その支点ピン１８，１９が傾斜部２１ｂに嵌合したときに、中間の棚３及び蓋４を前上がりの起立状態に保持可能である。そして、係止部２１ｃ、嵌脱部２１ｄを有する支持孔２１は、物品Ｗの高さ等に応じて中間の棚３及び蓋４の位置を上下方向に調整できるように、後支柱１３に上下方向に所定間隔を置いて複数個又は多数個設けられている。
【００１８】
固定ピン２０は図６に示すように操作部２０ａを有し、中間の棚３及び蓋４の前側に装着された保持筒２２に左右方向に摺動自在に挿通され、その左右方向の外端側が前支柱１２の固定孔２３に対して係脱自在に係合されている。固定孔２３は、物品Ｗの高さ等に応じて中間の棚３及び蓋４の位置を上下方向に調整できるように、前支柱１２に上下方向に所定間隔を置いて複数個又は多数設けられている。
【００１９】
固定孔２３は長孔により構成されている。固定ピン２０は先端に抜け止め部２０ｂを有し、操作部２０ａにより固定ピン２０を操作して抜け止め部２０ｂを固定孔２３の長手方向に合わせたときに、固定孔２３に対して挿脱できるようになっている。
【００２０】
支持孔２１と固定孔２３は前後に相対応しており、固定ピン２０を固定孔２３に挿入したときには、前側の支点ピン１８は支持孔２１から前側に外れており、後側の支点ピン１９が水平部２１ａ側に位置している。
【００２１】
最下部を含む各棚３の上面側の載置台５は、図８に示すようにその周囲にリブ状の縁取り部２４を有する棚枠２５を備え、その棚枠２５の内部に、合成樹脂製その他の敷板２６を敷いて、その上にクッション材７が配置されている。クッション材７は軟質合成樹脂製発泡体、ゴム等の復元性の良い弾性材料により構成され、このクッション材７上に物品Ｗを載置するようになっている。
【００２２】
なお、敷板２６は左右の縁取り部２４の内側に固定された押さえ片２７により着脱自在に保持され、その上にクッション材７が着脱自在に配置されている。蓋４は図５に示すように、蓋枠２８に蓋板２９を装着して構成されている。
【００２３】
中間の棚３及び蓋４の下側には、図６〜図７に示すように、シート材８と押圧体９とを有する押さえ手段６が設けられている。そして、各シート材８は複数個の物品Ｗに跨がる大きさを有し、帆布、綿布、合成樹脂製織布その他の非伸縮性材料又は伸縮性の少ない材料により構成されている。そして、各シート材８は押圧体９で押圧したときに、各物品Ｗの上側に沿うように適度な弛み（又は余裕）を持って左右方向に配置されると共に、その左右方向の一端が巻き取り手段３０に、他端が支持棒３１に夫々接続され、通常の使用状態ではその長さが変化しないように、これらにより左右の両端側が支持されている。なお、巻き取り手段３０、支持棒３１は、左右両端の各物品Ｗの両側でシート材８を下方に押圧するための押圧体９を兼用している。。
【００２４】
巻き取り手段３０は図６、図７及び図９に示すように、中間の棚３及び蓋４の一端側に前後方向の軸芯廻りに回動自在に配置され且つ前端側につまみ状の操作部３２を有する巻き取り軸３３と、この巻き取り軸３３を任意の巻き取り位置でロックするロック手段３４とを備え、シート材８の一端側の巻き取り量を調整することにより、物品Ｗを押圧する場合のシート材８の有効長さをその物品Ｗに応じて適宜調整可能である。
【００２５】
巻き取り軸３３は、その前後両端部が中間の棚３及び蓋４の一端側から下方に突出する前後一対のブラケット３８，３９に回転及び前後方向に摺動自在に挿通されている。巻き取り軸３３には、この巻き取り軸３３に巻き付けられたシート材８の一端側を締め付けて止めるための止め棒４０が設けられている。
【００２６】
止め棒４０は両端に屈曲部４０ａ，４０ｂを有し、その一方の屈曲部４０ａが巻き取り軸３３に固定され、他端の屈曲部４０ｂが巻き取り軸３３の孔３３ａに着脱自在に挿入されている。シート材８を巻き取り軸３３に止める場合には、巻き取り軸３３と止め棒４０との間にシート材８を通した後、巻き取り軸３３を巻き取り方向に廻して、その巻き取り部分で止め棒４０を外側から包んで締め付ければ良い。
【００２７】
なお、シート材８の一端側の袋状部に巻き取り軸３３を挿通し、その袋状部を止め棒４０で押さえて外側から締め付けるようにしても良い。止め棒４０は、両屈曲部４０ａ，４０ｂを巻き取り軸３３に対して着脱自在にしても良い。
【００２８】
ロック手段３４は図６、図７に示すように、中間の棚３及び蓋４側に固定された突起３５と、巻き取り軸３３に固定され且つ巻き取り軸３３の前後方向の移動により外周側が突起３５に係脱自在に噛合する噛合体３６と、操作部３２に前側から係合して巻き取り軸３３の前方への移動を阻止する牽制板３７とを備えている。
【００２９】
噛合体３６はスプロケット等により構成されており、外周に突起３５に噛合する噛合部３６ａが周方向に多数設けられている。牽制板３７は操作部３２の前側に係合する牽制部３７ａと、操作部３２の側面に当接する当接部３７ｂとを有し、ブラケット３８の前面に前後方向の軸４１により牽制位置と解除位置との間で回動自在に枢支されている。なお、巻き取り軸３３を後方に付勢するバネ等を設けて、牽制板３７を省略しても良い。
【００３０】
支持棒３１はシート材８の他端側に形成された袋状部８ａに挿通され、前後両端部が中間の棚３及び蓋４の他端側から下方に突出する前後一対のブラケット４１ａ，４１ｂに前後方向に挿通されている。
【００３１】
各押圧体９は各物品Ｗ間でシート材８を下方に押圧するように、クッション材７上に載置する物品Ｗの数に応じて左右方向に１個又は複数個あり、中間の棚３及び蓋４から下方に突出し且つ中間の棚３及び蓋４に対して着脱及び左右方向に位置調整自在に設けられている。そして、各押圧体９は図８〜図１０に示すようにシート材８の上側に配置された押圧棒４２を備え、この押圧棒４２の下側にシート材８を受ける受け棒４３が押圧棒４２と略平行に設けられている。
【００３２】
押圧棒４２はシート材８に沿って前後方向に配置され、その前後両端から上側に屈曲する支持部４２ａを介して取り付け具４５に上下調整自在に取り付けられている。受け棒４３はシート材８の弛み等による垂れ下がりを防止するためのもので、押圧棒４２の下側に所定間隔を置いて前後方向に配置され、その前後両端の屈曲部４３ａが各支持部４２ａに固定されている。
【００３３】
取り付け具４５は中間の棚３及び蓋４の前後の縁取り部２４に左右方向に係脱及び摺動自在に係合され、下側のネジ等の締め付け具４６により任意の位置に固定可能である。そして、この取り付け具４５に上下方向の支持筒４７が固定され、この支持筒４７に押圧棒４２の支持部４２ａがネジ４８等により上下調整自在に挿入されている。
【００３４】
次にコンテナに物品Ｗを収納して運搬する場合の取り扱いについて説明する。物品Ｗを収納する場合には、物品Ｗの高さ等に応じて中間の棚３及び蓋４の位置を上下に調整した後、図１に仮想線で蓋４を例示するように、中間の棚３及び蓋４を各取り付け位置で前上がり状態に仮止めしておき、下の棚３に物品Ｗを載置した後、その上側の棚３を略水平に倒してシート材８で物品Ｗを押さえ付ける方法を取っても良い。また中間の棚３及び蓋４を外しておき、下の棚３に物品Ｗを載置した後、その上側の棚３を所定高さの取り付け位置に略水平に取り付けて、シート材８で物品Ｗを押さえ付ける方法を取っても良い。
【００３５】
例えば前者の場合には、中間の棚３及び蓋４の固定ピン２０を前支柱１２の固定孔２３から抜き、中間の棚３及び蓋４を若干後方へと移動させて、その前側を持ち上げながら、図５に仮想線で示すように後端側の２個の支点ピン１８，１９を後支柱１３の支持孔２１の傾斜部２１ｂへと落とし込むと、中間の棚３及び蓋４を前上がり状に起立させて仮止めできる。従って、物品Ｗを棚３に載置するときに、物品Ｗを載置すべき棚３の上側にある棚３、蓋４等が邪魔になることはない。
【００３６】
物品Ｗを載置する際には、先ず最下部の棚３のクッション材７上に左右方向に所定の間隔を置いて複数個の物品Ｗを載置する。次にその上側にある２番目の棚３を略水平状態に倒しながら、その下側のシート材８を押圧棒４２により各物品Ｗ間で下方へと押圧して、各物品Ｗをクッション材７とシート材８とにより上下両側から挟んで移動しないように保持する。
【００３７】
２番目の棚３を倒す場合には、この棚３を前上方へと若干移動させて前後２個の支点ピン１８，１９を傾斜部２１ｂから上側に抜き、前側の支点ピン１８を水平部２１ａの後端部上にあずける。そして、この状態から２番目の棚３を前側へと移動させながら、２番目の棚３の前側を支点ピン１８廻りに押し下げる。すると押圧体９の押圧棒４２が各物品Ｗ間に対応し、また巻き取り手段３０、支持棒３１が左右両端にあるので、巻き取り手段３０、支持棒３１を含む押圧体９が、図６、図９、図１０に示すように各物品Ｗの両側でシート材８を下方へと押圧する。
【００３８】
そして、２番目の棚３が略水平になれば、後側の支持孔２１に対応する固定孔２３に固定ピン２０を挿入して、２番目の棚３の前部を固定ピン２０により前支柱１２に固定する。これによって最下部の載置台３のクッション材７上に載置された各物品Ｗを、クッション材７とシート材８とにより上下両側から挟んで保持できる。
【００３９】
以下同様にして２番目の棚３のクッション材７上に物品Ｗを載置し、３番目の棚３を略水平に取り付けて２番目の棚３のクッション材７と３番目の棚３の下側のシート材８で物品Ｗを挟み、続いて３番目の棚３のクッション材７上に物品Ｗを載置し、最後に蓋４を略水平に取り付けて３番目の棚３のクッション材７と蓋４の下側のシート材８で物品Ｗを挟んで、コンテナに対する物品Ｗの収納が完了する。
【００４０】
なお、運搬後にコンテナから物品Ｗを取り出す場合には、逆の手順で行えば良い。
【００４１】
この実施例の物品保持装置は、物品Ｗ間で押圧体９によりシート材８を下方へと押圧して、クッション材７上に載置された複数個の物品Ｗを、クッション材７とシート材８とにより挟んで保持するため、従来のエアーバッグを使用するものに比較して、簡単な構造で容易且つ安価に実施でき、特にエアー源等が不要であり、パンク等の惧れもないので、取り扱いが容易である上に、物品Ｗの形状、構造等による使用上の制約がなく、どのような物品Ｗに対しても広く自由に使用できる利点がある。
【００４２】
またクッション材７上の各物品Ｗの両側でシート材８を下方に押圧しているため、図６に示すように、押圧状態の物品Ｗはその下側がクッション材７の凹入部７ａに入り、また上部側がシート材８により覆われることになり、左右方向、前後方向の何れにも移動不能であり、これによって各物品Ｗを確実に保持できる。
【００４３】
シート材８の左右方向の長さを調整する場合には、一端側の巻き取り手段３０で行う。この場合には、先ず牽制板３７を牽制位置から解除位置へと回動させて、牽制板３７による巻き取り軸３３の牽制を解除した後、操作部３２を把持して巻き取り軸３３を前側へと若干移動させ、噛合体３６を突起３５から外す。そして、操作部３２により巻き取り軸３３を巻き取り又は巻き戻し方向に操作し、支持棒３１と巻き取り手段３０との間のシート材８の左右方向の長さを調整する。調整後は、巻き取り軸３３を後方へと移動させて噛合体３６を突起３５に噛合し、また牽制板３７を牽制位置に戻して巻き取り軸３３の操作部３２を牽制する。
【００４４】
このように巻き取り手段３０によりシート材８の有効長さを調整できるので、物品Ｗに応じてシート材８の押圧力を調整したり、押圧体９により各物品Ｗ間にシート材８を押し込む押し込み量を調整でき、特に各物品Ｗ間へのシート材８の押し込み量を大にすることによって、隣り合う物品Ｗ相互をシート材８により区画できる。
【００４５】
押圧体９はシート材８の上側に配置された押圧棒４２を備え、また押圧体９の下側にシート材８を受ける受け棒４３を押圧棒４２と略平行に設けているので、押圧前の状態ではシート材８に弛みがあるにも拘わらず、シート材８の中間部分の垂れ下がりを防止でき、シート材８で物品Ｗを押圧する過程でも、垂れ下がり状態のシート材８によってクッション材７上の物品Ｗが移動したり、シート材８に引っ掛かって物品Ｗが脱落する等の問題も生じない。また押圧体９の構造も簡単である。
【００４６】
押圧体９は棚３、蓋４に対して左右方向に位置調整自在であるから、物品Ｗの大きさ、間隔等に合わせて最適位置を押圧できる。また押圧体９は棚３、蓋４に対して着脱自在であるので、クッション材７上の物品Ｗの数に合わせて、押圧体９の数を適宜増減できる。この場合、シート材８を押圧体９の押圧棒４２と受け棒４３との間に通す必要があるが、そのときにはシート材８の一端側を巻き取り手段３０から外すか、又は他端側を支持棒３１から外して通せば良い。
【００４７】
各押圧体９は中間の棚３、蓋４に対して上下方向に調整自在であるため、物品Ｗの高さ、シート材８の弛み量等を考慮して押圧体９の下方への突出量を適宜調整でき、最適な状態で物品Ｗを押圧できる。
【００４８】
最下部の棚３を除く中間の棚３及び蓋４は側枠２に対して上下に調整自在であるため、物品Ｗの高さに合わせてその位置を変更でき、高さの異なる物品Ｗに対しても広く対応でき、コンテナの汎用性が増大する。特に中間の棚３及び蓋４を上下調整可能にすることによって、押圧体９の突出長さ、シート材８の調整長さ等を短くしながらも、高さの異なる物品Ｗに対して十分に対応でき、中間の棚３及び蓋４等を小型化できる。
【００４９】
以上、本発明の各実施例について詳述したが、本発明は各実施例に限定されるものではなく、その趣旨を逸脱しない範囲内で種々の変更が可能である。例えば、実施例のコンテナにおいて、そのコンテナ枠体１の左右両側、背面にカバーを装着しても良い。中間の棚３の数は１個でも良いし、３個以上の複数個でも良い。
【００５０】
またシート材８の両端は、中間の棚３、蓋４から下方に突出した位置で巻き取り手段３０、支持棒３１に接続しているが、巻き取り手段３０、支持棒３１の位置に押圧体９を設け、この押圧体９を経て中間の棚３、蓋４の下側近傍の巻き取り手段３０、支持棒３１に接続しても良い。従って、各物品Ｗの両側でシート材８をクッション材７側へと下向きに押圧できる構造であれば良い。
【００５１】
巻き取り手段３０は巻き取り軸３３にシート材８の一端側を巻き取ることができるものであれば良く、例えば巻き取り軸３３の外周に針状の小突起等を設けて、その小突起等でシート材８の滑りを防止するようにしても良い。
【００５２】
載置台５上のクッション材７は１個でも良いし、複数個に分割しても良い。物品Ｗは両側から挟んで物品Ｗ相互が干渉しないように保持する必要のあるものであれば、自動車部品等の機械部品の他、リンゴ等の果物、野菜等であっても良い。また前後で形状、高さ等が大きく異なる物品Ｗの場合には、物品Ｗの前部側を押さえる前押さえ手段と、物品Ｗの後部側を押さえる後押さえ手段とに分けて設けても良い。従って、押さえ手段６は前後方向に複数個設けても良い。
【００５３】
棚３、蓋４は前後方向の一端側、又は左右方向の一端側が低くなるように傾斜状に設けても良い。更に棚３、蓋４は前後方向の中間を境にして、前後両側が低くなるように傾斜状に設けても良い。その場合、コンテナは前後両側を開放状にする必要がある。
【００５４】
また実施例では、コンテナに採用した物品保持装置を例示しているが、コンテナ以外のもの、例えばコンベヤ上の物品Ｗを保持する物品保持装置等にも利用可能であり、コンテナ用に限定されるものではない。シート材８は伸縮性のあるものでも良い。
【図面の簡単な説明】
【００５５】
【図１】本発明の一実施例を示すコンテナの斜視図である。
【図２】本発明の一実施例を示すコンテナの正面図である。
【図３】本発明の一実施例を示すコンテナの側面図である。
【図４】本発明の一実施例を示すコンテナの平面図である。
【図５】本発明の一実施例を示す蓋取り付け部分の拡大断面図である。
【図６】本発明の一実施例を示す保持状態の拡大断面図である。
【図７】本発明の一実施例を示す巻き取り手段側の一部破断側面図である。
【図８】本発明の一実施例を示す押圧体側の一部破断側面図である。
【図９】本発明の一実施例を示す要部の拡大断面図である。
【図１０】本発明の一実施例を示す要部の拡大断面図である。
【符号の説明】
【００５６】
２  側枠
３  棚
４  蓋
５  載置台
６  押さえ手段
７  クッション材
８  シート材
９  押圧体
３０  巻き取り手段
４２  押圧棒
４３  受け棒
Ｗ  物品
【図１】
2005247339.tif 000003
【図２】
2005247339.tif 000004
【図３】
2005247339.tif 000005
【図４】
2005247339.tif 000006
【図５】
2005247339.tif 000007
【図６】
2005247339.tif 000008
【図７】
2005247339.tif 000009
【図８】
2005247339.tif 000010
【図９】
2005247339.tif 000011
【図１０】
2005247339.tif 000012